(57)【要約】【課題】画面の回転角度を考慮した最適な表示画像データをRAW画像データから生成する。【解決手段】画像データの画素の配列の情報及び画素数の情報を取得する手段と、表示パネルの画素の配列の情報を取得する手段と、表示パネルの角度の情報を取得する手段と、表示パネルの画素の配列、表示パネルの角度、及び画像データの画素数に基づき、表示パネルのうち画像の表示を行う部分を示す出力領域を算出し、出力領域における表示パネルの画素の配列を算出する手段と、出力領域における表示パネルの画素の配列、及び出力領域における画像データの画素の配列に基づき、出力領域における表示パネルの画素の各々について、その画素の画素値の算出に用いる画像データの画素である補間使用画素を決定し、補間使用画素の画素値に基づいて出力領域における表示パネルの各画素の画素値を算出し、算出した画素値に基づいて表示パネルに出力する表示画像データを生成する。【選択図】図8
2014049855.tif 000002
【特許請求の範囲】
【請求項１】
入力される画像データを変換して出力先の表示パネルの画素の配列に適合した表示画像データを生成する画像処理装置であって、
画像データの画素の配列の情報及び画素数の情報を取得する画像情報取得手段と、
表示パネルの画素の配列の情報を取得するパネル情報取得手段と、
表示パネルの角度の情報を取得する角度情報取得手段と、
表示パネルの画素の配列、表示パネルの角度、及び画像データの画素数に基づき、表示パネルのうち画像の表示を行う部分を示す出力領域を算出し、出力領域における表示パネルの画素の配列を算出する算出手段と、
出力領域における表示パネルの画素の配列、及び出力領域における画像データの画素の配列に基づき、出力領域における表示パネルの画素の各々について、その画素の画素値の算出に用いる画像データの画素である補間使用画素を決定し、補間使用画素の画素値に基づいて出力領域における表示パネルの各画素の画素値を算出し、算出した画素値に基づいて表示パネルに出力する表示画像データを生成する生成手段と、
を備える画像処理装置。
【請求項２】
前記生成手段は、出力領域における表示パネルの各画素について、その画素の近傍にありその画素と色が同じである画像データの画素を補間使用画素として決定する請求項１に記載の画像処理装置。
【請求項３】
前記生成手段は、出力領域における表示パネルの各画素について、その画素と補間使用画素との位置関係と、補間使用画素の画素値と、に基づいて画素値の算出を行う請求項１または２に記載の画像処理装置。
【請求項４】
前記生成手段は、出力領域以外の領域における表示パネルの各画素の画素値を所定値とする請求項１〜３のいずれか１項に記載の画像処理装置。
【請求項５】
入力される画像データは、画素値のデータに画素の配列の情報及び画素数の情報が付加された形式であり、
前記画像情報取得手段は、画像データに付加された情報から画像データの画素の配列の情報及び画素数の情報を取得する請求項１〜４のいずれか１項に記載の画像処理装置。
【請求項６】
入力される画像データの画素の配列は、１つの画素に１つの色の配列である請求項１〜５のいずれか１項に記載の画像処理装置。
【請求項７】
前記表示パネルの画素の配列は、１つの画素に複数の色のサブピクセルが並んだ配列である請求項１〜６のいずれか１項に記載の画像処理装置。
【請求項８】
入力される画像データは、RAW画像データである請求項１〜７のいずれか１項に記載の
画像処理装置。
【請求項９】
前記表示パネルの画素の配列の情報は、表示パネルの角度が基準角度の場合の画素の配列の情報であり、
前記算出手段は、表示パネルの角度の情報に基づいて基準角度における表示パネルの画素の配列を回転させることで出力領域における表示パネルの画素の配列を算出する請求項１〜８のいずれか１項に記載の画像処理装置。
【請求項１０】
表示パネルの角度の変化を検知する検知手段を備え、
表示パネルの角度の変化が検知された場合、前記算出手段は、変化後の表示パネルの角
度の情報に基づいて、改めて出力領域及び出力領域における表示パネルの画素の配列を算出し、前記生成手段は、当該算出された出力領域における表示パネルの画素の配列に基づき、改めて表示画像データの生成を行う請求項１〜９のいずれか１項に記載の画像処理装置。
【請求項１１】
画像情報取得手段は、画像データの表示態様を指定するレイアウト情報を更に取得し、
算出手段は、更にレイアウト情報にも基づいて、出力領域及び出力領域における表示パネルの画素の配列の算出を行う請求項１〜１０のいずれか１項に記載の画像処理装置。
【請求項１２】
請求項１〜１１のいずれか１項に記載の画像処理装置と、表示パネルと、を備える表示装置。
【請求項１３】
入力される画像データを変換して出力先の表示パネルの画素の配列に適合した表示画像データを生成する画像処理装置の制御方法であって、
画像データの画素の配列の情報及び画素数の情報を取得する画像情報取得工程と、
表示パネルの画素の配列の情報を取得するパネル情報取得工程と、
表示パネルの角度の情報を取得する角度情報取得工程と、
表示パネルの画素の配列、表示パネルの角度、及び画像データの画素数に基づき、表示パネルのうち画像の表示を行う部分を示す出力領域を算出し、出力領域における表示パネルの画素の配列を算出する算出工程と、
出力領域における表示パネルの画素の配列、及び出力領域における画像データの画素の配列に基づき、出力領域における表示パネルの画素の各々について、その画素の画素値の算出に用いる画像データの画素である補間使用画素を決定し、補間使用画素の画素値に基づいて出力領域における表示パネルの各画素の画素値を算出し、算出した画素値に基づいて表示パネルに出力する表示画像データを生成する生成工程と、
を有する画像処理装置の制御方法。
【請求項１４】
前記生成工程では、出力領域における表示パネルの各画素について、その画素の近傍にありその画素と色が同じである画像データの画素を補間使用画素として決定する請求項１３に記載の画像処理装置の制御方法。
【請求項１５】
前記生成工程では、出力領域における表示パネルの各画素について、その画素と補間使用画素との位置関係と、補間使用画素の画素値と、に基づいて画素値の算出を行う請求項１３または１４に記載の画像処理装置の制御方法。
【請求項１６】
前記生成工程では、出力領域以外の領域における表示パネルの各画素の画素値を所定値とする請求項１３〜１５のいずれか１項に記載の画像処理装置の制御方法。
【請求項１７】
入力される画像データは、画素値のデータに画素の配列の情報及び画素数の情報が付加された形式であり、
前記画像情報取得工程では、画像データに付加された情報から画像データの画素の配列の情報及び画素数の情報を取得する請求項１３〜１６のいずれか１項に記載の画像処理装置の制御方法。
【請求項１８】
入力される画像データの画素の配列は、１つの画素に１つの色の配列である請求項１３〜１７のいずれか１項に記載の画像処理装置の制御方法。
【請求項１９】
前記表示パネルの画素の配列は、１つの画素に複数の色のサブピクセルが並んだ配列である請求項１３〜１８のいずれか１項に記載の画像処理装置の制御方法。
【請求項２０】
入力される画像データは、RAW画像データである請求項１３〜１９のいずれか１項に記
載の画像処理装置の制御方法。
【請求項２１】
前記表示パネルの画素の配列の情報は、表示パネルの角度が基準角度の場合の画素の配列の情報であり、
前記算出工程では、表示パネルの角度の情報に基づいて基準角度における表示パネルの画素の配列を回転させることで出力領域における表示パネルの画素の配列を算出する請求項１３〜２０のいずれか１項に記載の画像処理装置の制御方法。
【請求項２２】
表示パネルの角度の変化を検知する検知工程を更に有し、
表示パネルの角度の変化が検知された場合、前記算出工程では、変化後の表示パネルの角度の情報に基づいて、改めて出力領域及び出力領域における表示パネルの画素の配列を算出し、前記生成工程では、当該算出された出力領域における表示パネルの画素の配列に基づき、改めて表示画像データの生成を行う請求項１３〜２１のいずれか１項に記載の画像処理装置の制御方法。
【請求項２３】
画像情報取得工程では、画像データの表示態様を指定するレイアウト情報を更に取得し、
算出工程では、更にレイアウト情報にも基づいて、出力領域及び出力領域における表示パネルの画素の配列の算出を行う請求項１３〜２２のいずれか１項に記載の画像処理装置の制御方法。
【発明の詳細な説明】
【技術分野】
【０００１】
本発明は、画像処理装置及びその制御方法に関する。
【背景技術】
【０００２】
デジタルスチルカメラやデジタルカムコーダにおいて、撮像センサとして“ベイヤ型センサ”を搭載した機種が存在する。ベイヤ型センサとは、CCD（Charge Coupled Device）センサやCMOS（Complementary Metal Oxide Semiconductor）センサ等の光変換素子の配
列方法の一種である。図22(a)のように、1ピクセル単位でR素子，G素子，B素子が敷き詰
められたものを指す。したがって、ベイヤ型センサ搭載のデジタルカメラで撮影したままの撮影画像データ（“RAW画像データ”と呼ばれる）は、各ピクセルにR，G，Bのいずれか1色の色値しか格納していない。
【０００３】
一方、テレビやモニタ等の表示装置においては、図22(b)のように、1ピクセルにR，G，B3色の発光素子（サブピクセルとも呼ばれる）が含まれる構成をとっている。
【０００４】
ここで、上述のRAW画像データを表示装置に表示するユースケースを考える。この場合
、RAW画像データを、表示装置に合わせて1ピクセルにR，G，B3色の色値を持つ画像データ（以下、“表示画像データ”と称する）に変換する必要がある。このベイヤ型のRAW画像
データから、1ピクセルに3色の色値を含む画像データに変換する処理を“デモザイク処理”と呼ぶ。デモザイク処理は、求める1画素に存在しない色成分値（例えば、R値のみを持つ画素の場合、G値とB値）を、周辺画素から補間することで求める（例えば、特許文献1
参照）。
【０００５】
また、補間アルゴリズムには、既存技術のバイリニア法やバイキュービック法等を用いることが多い（例えば、特許文献1参照）。
【０００６】
ここで、デモザイク処理に使用されるバイリニア法やバイキュービック法といった補間アルゴリズムは、色成分値を算出する対象画素と、補間に用いる各周辺画素との距離に応じて重み付けを行い、線形補間もしくは三次元補間を行うアルゴリズムである。表示装置に最適な画像を作成するため、表示装置の発光素子3色の配置、すなわち3色のサブピクセルの配置を考慮し、各サブピクセルから補間に用いる各周辺画素までの距離を用いた補間方法（図23(a)）が提案されている。
【先行技術文献】
【特許文献】
【０００７】
【特許文献１】特開２００５−２５１１６６号公報
【発明の概要】
【発明が解決しようとする課題】
【０００８】
しかしながら、従来のサブピクセルを考慮した補間方法では、表示装置の設置方向を考慮していない。そのため、図23(b)のように、表示装置を回転して設置した場合、サブピ
クセルから補間に用いる周辺画素までの距離が異なる。図23(a)のサブピクセル配置に適
応させて作成した画像では、サブピクセルの配置が異なることに起因する画質劣化が生じるという問題があった。
【０００９】
そこで本発明は、画面の回転角度を考慮した最適な表示画像データをRAW画像データか
ら生成することを目的とする。
【課題を解決するための手段】
【００１０】
本発明は、入力される画像データを変換して出力先の表示パネルの画素の配列に適合した表示画像データを生成する画像処理装置であって、
画像データの画素の配列の情報及び画素数の情報を取得する画像情報取得手段と、
表示パネルの画素の配列の情報を取得するパネル情報取得手段と、
表示パネルの角度の情報を取得する角度情報取得手段と、
表示パネルの画素の配列、表示パネルの角度、及び画像データの画素数に基づき、表示パネルのうち画像の表示を行う部分を示す出力領域を算出し、出力領域における表示パネルの画素の配列を算出する算出手段と、
出力領域における表示パネルの画素の配列、及び出力領域における画像データの画素の配列に基づき、出力領域における表示パネルの画素の各々について、その画素の画素値の算出に用いる画像データの画素である補間使用画素を決定し、補間使用画素の画素値に基づいて出力領域における表示パネルの各画素の画素値を算出し、算出した画素値に基づいて表示パネルに出力する表示画像データを生成する生成手段と、
を備える画像処理装置である。
【００１１】
本発明は、入力される画像データを変換して出力先の表示パネルの画素の配列に適合した表示画像データを生成する画像処理装置の制御方法であって、
画像データの画素の配列の情報及び画素数の情報を取得する画像情報取得工程と、
表示パネルの画素の配列の情報を取得するパネル情報取得工程と、
表示パネルの角度の情報を取得する角度情報取得工程と、
表示パネルの画素の配列、表示パネルの角度、及び画像データの画素数に基づき、表示パネルのうち画像の表示を行う部分を示す出力領域を算出し、出力領域における表示パネルの画素の配列を算出する算出工程と、
出力領域における表示パネルの画素の配列、及び出力領域における画像データの画素の配列に基づき、出力領域における表示パネルの画素の各々について、その画素の画素値の算出に用いる画像データの画素である補間使用画素を決定し、補間使用画素の画素値に基づいて出力領域における表示パネルの各画素の画素値を算出し、算出した画素値に基づいて表示パネルに出力する表示画像データを生成する生成工程と、
を有する画像処理装置の制御方法である。
【発明の効果】
【００１２】
本発明によれば、画面の回転角度を考慮した最適な表示画像データをRAW画像データか
ら生成することができる。
【図面の簡単な説明】
【００１３】
【図１】実施例の撮影装置と画像表示システムの構成を示す構成図
【図２】実施例の撮影装置の構成を示すブロック図
【図３】実施例の撮影装置のセンサのカラー配列を示す図
【図４】実施例のＲＡＷ画像データのカラー配列情報を示す図
【図５】実施例の表示装置の構成を示すブロック図
【図６】実施例の表示装置の発光素子（サブピクセル）のカラー配列を示す図
【図７】実施例の表示装置のカラー配列情報を示す図
【図８】実施例の画像処理装置の構成を示すブロック図
【図９】実施例のＲＡＷ画像データ上の表示領域を示す図
【図１０】実施例の表示装置上の表示領域を示す図
【図１１】実施例１のＲＡＷ画像ファイル作成処理の手順を示すフローチャート
【図１２】実施例１のＲＡＷ画像ファイル表示処理の手順を示すフローチャート
【図１３】実施例１の表示画像データ作成処理の手順を示すフローチャート
【図１４】実施例１の表示装置の設置方向の一例を示す図
【図１５】実施例１のＲＡＷ画像データ全体のカラー行列を示す図
【図１６】実施例１の表示装置のパネル全体のカラー行列を示す図
【図１７】実施例１のＲＡＷ画像上の表示領域と表示装置上の表示領域を重ねた図
【図１８】実施例１の補間使用画素の選択の一例を示す図
【図１９】実施例１の補間使用画素データを示す図
【図２０】画面角度が斜めの場合のサブピクセルと補間使用画素との関係
【図２１】実施例２の表示装置の回転に起因する再表示処理を示すフローチャート
【図２２】表示装置のカラー配列と、ＲＡＷ画像のカラー配列を示す図
【図２３】表示装置のサブピクセルと補間使用画素との距離を示した図
【発明を実施するための形態】
【００１４】
以下、本発明による画像表示装置及びその制御方法の実施例について説明する。本発明は、入力される画像データを変換して出力先の表示パネルの画素の配列に適合した表示画像データを生成する画像処理装置である。
【００１５】
（実施例１）
本実施例では、RAW画像のカラー配列情報と、表示装置の発光素子のカラー配列情報、
および表示装置の設置方向（回転角度）を使用して、RAW画像から表示画像データを作成
して表示する、画像表示装置およびその制御方法の一例について説明を行う。
【００１６】
以下、本実施例について図面を用いて説明する。図1は、本発明を適用した画像表示装
置の構成の一例と、その画像表示装置で表示する画像を作成するための撮影装置100を示
した図である。本実施例の画像表示装置は、表示装置200と画像処理装置300からなる画像表示システムとして構成した。
【００１７】
表示装置200と画像処理装置300は、映像信号線1と通信信号線2の2本の信号線で接続さ
れている。本実施例では、前者はDVI（Digital Visual Interface）ケーブル、後者はUSB（Universal Serial Bus）ケーブルで接続されているとする。インターフェースの種類はこの例に限定されず、また映像信号線と通信信号線が一体構成されていてもよい。
【００１８】
撮影装置100は、デジタルスチルカメラを想定しており、表示装置200に表示するRAW画
像を撮影するために使用される。
表示装置200は、デジタルテレビやモニタ等を想定しており、画像処理装置300が出力した映像データをDVIケーブルを通して受信し画面に表示する。また、画像処理装置300からの制御命令をUSBケーブルを通して受信し、制御命令の内容通りに表示装置200内の機能を動作させる。
【００１９】
画像処理装置300は、撮影装置100で撮影した静止画像や動画像に対して画像処理を行い、表示装置200に映像ストリームとして送出する画像処理装置である。PC（Personal Computer）上で動作するソフトウェアや、PC上に組み込んだ制御ボードを想定している。
詳しい実現手段については、後述のフローで説明する。
【００２０】
まず図2を用いて、撮影装置100の各機能ブロックを説明する。
記憶メディア3は、撮影装置100に接続された記録機器や記憶メディアを想定している。例えば、USB（Universal Serial Bus）やLAN（Local Area Network）経由で接続されたハードディスクやフラッシュメモリ、撮影装置100に直接挿入するSDメモリーカード等であ
る。
【００２１】
シャッターボタン101は、撮影装置100の入力インターフェースであり、プッシュ式のボ
タンを想定している。ユーザによってシャッターボタン101が押下されると、シャッター
ボタンが押下された旨を、後述の撮影装置制御部102へ通知する。
【００２２】
撮影装置制御部102は、シャッターボタン101からボタン押下通知を受け、後述の撮像センサ値取得部105を用いて、後述の撮像センサ103の測光値であるRAW画像データを取得す
る。また、撮影装置制御部102は、後述のRAW画像ファイル作成部109に取得したRAW画像データを渡し、RAW画像データをファイル形式に整え、記憶メディア3に保存させることも行う。
【００２３】
撮像センサ103は、CCDセンサやCMOSセンサ等の二次元測光センサを想定しており、レンズ104で結像した被写体からの光を電気信号に変換する。本実施例では、撮像センサ103はベイヤ型センサであることを想定しており、撮像センサ上には、1画素単位でR，G，Bのいずれかカラーフィルタ（不図示）が貼られている。そのため、撮像センサ103で撮影した
画像（RAW画像）は、1画素にR，G，Bいずれか1色成分値のみを持つデータとなる（図22(a)）。
【００２４】
撮像センサ値取得部105は、撮影装置制御部102からの撮像センサ値取得指示を受け、その時点での撮像センサ103の測光値、すなわちRAW画像データを取得する。その後、撮像センサ値取得部105は、取得したRAW画像データを、撮影装置制御部102に返答することも行
う。
【００２５】
センサカラー配列情報保持部106は、撮像センサ103のカラー配列情報を保持する。カラー配列情報は、図22(a)のようなR，G，Bフィルタの配置に規則性のあるセンサである場合、図3のような繰り返しの1単位ブロック（以下、“基本ブロック”と称する）のR，G，B
色成分の配置情報のテーブル（図4）を想定している。
【００２６】
センサ解像度情報保持部107は、撮像センサ103の解像度情報（縦ピクセル数と横ピクセル数（画素数））を保持する。
外部I/F部108は、記憶メディア3とのインターフェースであり、後述のRAW画像ファイル作成部109の指示により、記憶メディア3内へデータの書込みを行う。
【００２７】
RAW画像ファイル作成部109は、撮影装置制御部102からRAW画像データと共にRAW画像フ
ァイルの作成指示を受け、RAW画像データにその画像に関する付加情報を添付し、ファイ
ル形式に整えることを行う。付加情報は、Exif（Exchange Image Format）形式で付加す
ることを想定している。Exifデータ内でメーカが自由に使用可能な領域である“メーカーノート”を利用する。センサカラー配列情報保持部106から取得したカラー配列情報と、
センサ解像度情報保持部107から取得した解像度情報（横のピクセル数と縦のピクセル数
）をメーカーノートに格納する。その後、RAW画像ファイル作成部109は、作成したRAW画
像ファイルを、外部I/F部108を介して記憶メディア3へ書き込む。
撮影装置としての基本機能を実行する為のブロックは、上記構成で説明したブロック以外にも存在するが、本発明に寄与しないものに関しては、説明を割愛する。
【００２８】
次に図5を用いて、表示装置200の各機能ブロックを説明する。
映像受信部201は、画像処理装置300からの映像信号を映像信号線1を介して受信し、そ
の映像信号をビデオメモリ書き込み部202に送信する。
ビデオメモリ書き込み部202は、映像受信部201から受信した映像信号をビデオメモリ203に書き込む。またビデオメモリ書き込み部202は、1フレーム分の映像信号の書き込みが
終了したタイミングで、書き込みが完了した旨を後述の表示制御部204に通知する。
【００２９】
表示制御部204は、ビデオメモリ書き込み部202からの、映像信号の書込み完了通知を受
け、後述の表示部205に対してビデオメモリ203内の映像を表示するよう指示を行う。これにより、表示装置200の表示パネル（不図示）上に画像処理装置300から送信された映像を表示させる。
表示部205は、表示制御部204からの映像表示指示を受け、ビデオメモリ203から読み出
した映像データをパネル（非図示）に表示する。
【００３０】
表示装置カラー配列情報保持部206は、パネル（不図示）のサブピクセルのカラー配列
情報を保持する。表示装置200のカラー配列情報は、図22(b)のようなR，G，Bの各発光素
子の配置に規則性のある場合、図6のような繰り返しの1単位ブロック（基本ブロック）におけるR，G，B色成分の配列情報のテーブル（図7）を想定している。また、表示装置200
は縦置き、横置き等、回転ができるものを想定しているため、カラー配列情報は、表示装置200の正位置である横置き時（回転角度＝0°）の配列情報とする。
【００３１】
回転検出部207は、回転センサ（不図示）を用いて表示装置200のパネルの設置角度を検出する。例えば、表示装置200の正位置を横置きとし、その時の回転角度0°を基準角度とすると、時計回りに90°回転させて縦置きに設置した場合には、回転角度は90°となる。回転検出部207は、後述の表示装置情報管理部209からの回転角度取得指示を受けると、現在の表示装置200の回転角度を検出して返答する。また、回転検出部207は、ユーザがパネルを回転させた場合に、回転角度が変更されたことを検知し、変更後の回転角度と共に回転角度変更通知を、表示装置情報管理部209に通知することも行う。
【００３２】
通信部208は、通信信号線2を介して画像処理装置300からの表示装置200の情報取得に関する通信コマンドを受信し、コマンド内容の解析を行う。解析結果は、後述の表示装置情報管理部209に送信する。また通信部208は、表示装置情報管理部209からのコマンド送信
指示に従って、通信コマンドの作成及び画像処理装置300への通信コマンドの送信を行う
。詳細なコマンド内容は、後述のフローで説明する。
【００３３】
表示装置情報管理部209は、通信部208からのコマンド解析結果を受信し、そのコマンド内容に従って、表示装置カラー配列情報保持部206、または回転検出部207から、カラー配列情報、もしくは回転角度情報を取得する。その後、表示装置情報管理部209は、取得し
た該情報を、通信部208に対して画像処理装置300に返答するよう指示を出す。また、表示装置情報管理部209は、回転検出部207から回転角度と共に回転角度変更通知を受け、通信部208に対して、該通知を画像処理装置300に送信するよう指示を出すことも行う。
表示装置としての基本機能を実行する為のブロックは、上記構成で説明したブロック以外にも存在するが、本発明に寄与しないものに関しては、説明を割愛する。
【００３４】
更に図8を用いて、画像処理装置300の各機能ブロックを説明する。
操作入力部301は、マウス4を介して行われたユーザ操作を認識し、後述する画像処理装置制御部303に供給する。なおユーザ入力インターフェースはマウスに限らず、キーボー
ドやタッチパネル等でも良い。
外部I/F部302は、記憶メディア3とのインターフェースであり、後述の画像処理装置制
御部303の指示により、記憶メディア3内の画像データの読み込みを行う。
【００３５】
画像処理装置制御部303は、ユーザ操作に応じて、画像処理装置300のコントロール全般を行う。画像処理装置制御部303は、ユーザによる画像表示指示を受け取った場合、外部I/F部302を介して記憶メディア3内の画像を読み込み、後述の出力制御部307に読み込んだ
画像の表示を指示することで、表示装置200に映像を送信する。また、画像処理装置制御
部303は、画像表示時にレイアウトを指定された場合に、後述の出力制御部307に対して画像表示指示と共にレイアウト情報を付加することで、指定したレイアウト通りに画像を出力させる。ここで、レイアウト情報は、画像の表示態様を指定する情報であり、全画面表
示や50%縮小表示かつ画面中央表示等の画像のスケーリング情報と、画像上における表示
領域の指定（トリミング情報）等を想定している。
【００３６】
通信部304は、後述の出力制御部307からの表示装置200の情報問い合わせコマンド送信
指示に従って、通信コマンドの作成、および表示装置200へ通信コマンドの送信を行う。
また通信部304は、表示装置200からの通信コマンドを受信し、コマンド内容の解析を行う。解析結果は出力制御部307に送信する。詳細な通信内容は、後述のフローで説明する。
【００３７】
画像情報パース部305は、後述の出力制御部307からRAW画像ファイルと共に画像情報の
パース指示を受け、RAW画像ファイルの付属情報（Exif情報）から、RAW画像データのカラー配列情報とRAW画像データの解像度情報を抽出し、返答する。
【００３８】
表示情報格納部306は、後述の出力制御部307の指示により、RAW画像表示に関する情報
を格納する。ここでRAW画像表示に関する情報とは、レイアウト情報、RAW画像データの解像度（画素数）情報、RAW画像データのカラー配列情報、表示装置200の解像度情報、表示装置200のカラー配列情報の5つである。また、表示情報格納部306は後述の出力制御部307の表示情報問い合わせ指示により、保持する上記5つの情報を返答することも行う。
【００３９】
出力制御部307は、表示装置200の解像度情報の取得や、通信部304を使っての表示装置200の回転角度情報とカラー配列情報の取得（角度情報取得、パネル情報取得）を行う。また、画像情報パース部305を使用してのRAW画像の解像度情報とカラー配列情報の取得（画像情報取得）を行う。ここで表示装置200の解像度情報は、画像処理装置300が入ったPCのOS（Operation System）が、映像信号線1を介して表示装置200のEDIDから取得したものを利用する。EDIDとはExtended Display Identification Dataである。また、出力制御部307は、取得した上記の5つの情報と、画像処理装置制御部303からの画像表示指示と共に送
られたレイアウト情報の合計6つの情報を、表示情報格納部306に保存および表示情報格納部306から読み出すことも行う。
【００４０】
更に、出力制御部307は、画像処理装置制御部303から、RAW画像ファイルとその表示レ
イアウトの情報を受け取り、指示通りのレイアウトで指定の画像を出力するよう制御を行う。すなわち出力制御部307は、受け取ったRAW画像ファイルを後述の画像展開部308を使
用して展開し、画像展開部308からの画像展開完了通知を受け取った後、後述の表示画像
作成部310に対して、上述6つの情報と共に表示画像の作成指示を通知する。そして、出力制御部307は、表示画像作成部310から表示画像の作成が完了した旨の通知を受けたのちに、後述の映像出力部315に対して作成した表示画像を映像ストリームとして出力するよう
指示する。
【００４１】
画像展開部308は、出力制御部307からRAW画像ファイルと共に画像展開指示を受け、そ
の画像ファイルからRAW画像データの抽出を行い、抽出後のRAW画像データをメモリ309に
書き込む。画像展開部308は、一連の処理終了後、出力制御部307に対し、処理が完了した旨を返答する。
【００４２】
表示画像作成部310は、出力制御部307から上記6つの情報と共に表示画像作成指示を受
信し、表示装置200に適した表示画像を作成して、バッファ311に格納する。６つの情報とは、レイアウト情報、RAW画像データの解像度情報、RAW画像データのカラー配列情報、表示装置200の解像度、表示装置200のカラー配列情報、表示装置200の回転角度情報である
。表示画像作成部310は、表示画像を作成するために、後述の画像上の表示領域決定部312、表示装置上の表示領域決定部313、および補間使用画素決定部314を用いる。詳細な表示画像作成処理は、後述のフローで説明する。
【００４３】
画像上の表示領域決定部312は、表示画像作成部310からRAW画像の解像度とレイアウト
情報を取得し、レイアウト情報に従って、RAW画像上の表示領域を算出する。画像上の表
示領域は、図9のようなRAW画像の左上を起点とした表示領域の開始座標（xg, yg）と高さ（hg_lay）、幅（wg_lay）を想定している。RAW画像上の表示領域を特定できる情報であ
ればこれらに限らない。画像上の表示領域決定部312は、算出した上記表示領域情報を、
表示画像作成部310に返答する。
【００４４】
表示装置上の表示領域決定部313は、表示画像作成部310から表示装置200の解像度とレ
イアウト情報、および表示装置200の回転角度情報を取得し、レイアウト情報に従って、
表示装置200のパネル上の表示領域を算出する。表示装置200上の表示領域は、図10(a)の
ように表示装置200の設置方向が正位置（＝横置き）の状態でのパネルの左上の頂点を起
点（原点）として表した表示領域の開始座標、高さ、及び幅により特定される。なお、表示装置上の表示領域を特定する情報はこれに限らない。図10(a)は、表示装置200が横置きの場合、すなわち回転角度情報＝0°の場合の表示装置上の表示領域であり、図10(b)は、表示装置200が縦置きの場合、すなわち回転角度情報＝90°の場合の表示装置上の表示領
域の例である。横置き時の表示上の表示領域情報は、開始座標（x1, y1）と高さ（h1_lay）、幅（w1_lay）となり、縦置き時の表示上の表示領域情報は、開始座標（x2, y2）と高さ（h2_lay）、幅（w2_lay）となる。表示装置上の表示領域決定部313は、算出した上記
表示領域情報を、表示画像作成部310に返答する。
【００４５】
補間使用画素決定部314は、出力制御部307から必要なデータと共に補間使用画素決定指示を受信する。そして、表示装置200におけるパネルの1サブピクセルの色値（画素値）を算出するために使用する、RAW画像データ上の画素（以下、補間使用画素と称する）を決
定する。出力制御部307から受信する必要データの詳細、および補間使用画素の決定方法
は、後述のフローで説明する。
【００４６】
映像出力部315は、表示画像作成部310がバッファ311に格納した、表示画像を映像スト
リームとして、映像信号線1を通して表示装置200へ送信する役割を持つ。
画像処理装置としての基本機能を実行する為のブロックは、上記構成で説明したブロック以外にも存在するが、本発明に寄与しないものに関しては、説明を割愛する。
【００４７】
続いて、本実施例における、撮影装置100での撮影によるRAW画像ファイル作成処理と、撮影したRAW画像ファイルを画像処理装置300に入力し、表示装置200に表示するための動
作を、個別に説明する。
【００４８】
≪RAW画像ファイル作成処理の動作≫
撮影装置100において、撮影によりRAW画像ファイルを作成する処理について、図11のフローを用いて説明する。作成するRAW画像ファイルには、撮影装置100の撮像センサ103の
解像度情報とカラー配列情報、すなわちRAW画像データの解像度情報とカラー配列情報が
含まれる。図11のフローは、ユーザにより撮影装置100のシャッターボタン101が押下され、撮影装置制御部102にシャッターボタン101が押下された旨の通知が届いた時点から開始するものである。
【００４９】
ステップS101で、撮影装置制御部102は、撮像センサ値取得部105に対して撮像センサ値取得指示を発し、それを受信した撮像センサ値取得部105は、その時点の撮像センサ103の測光値、すなわちRAW画像データを取得する。撮像センサ値取得部105は、取得したRAW画
像データを撮影装置制御部102に返答として、送信する。
【００５０】
ステップS102で、撮影装置制御部102は、RAW画像ファイル作成部109に対し、撮像セン
サ値取得部105から受けとったRAW画像データと共に、RAW画像ファイルを作成する指示を
送信する。RAW画像ファイル作成部109は、RAW画像ファイル作成指示を受け、センサ解像
度情報保持部107からセンサの解像度情報（縦ピクセル数と横ピクセル数）を取得する。
【００５１】
ステップS103で、RAW画像ファイル作成部109は、センサカラー配列情報保持部106から
、センサのカラー配列情報（図4）を取得する。
【００５２】
ステップS104で、RAW画像ファイル作成部109は、撮影装置制御部102から受け取ったRAW画像データと、ステップS102で取得したセンサの解像度情報と、ステップS103で取得したセンサのカラー配列情報を1つファイルにまとめる。そして、RAW画像ファイルを作成する。ここで、センサの解像度情報、およびカラー配列情報は、RAW画像ファイル内のExif情
報領域に記述するものとする。
【００５３】
ステップS105で、RAW画像ファイル作成部109は、ステップS104で作成したRAW画像ファ
イルを、外部I/F部108を介して、記憶メディア3へ書き込む。
【００５４】
以上のRAW画像ファイル作成処理により、センサの解像度情報とカラー配列情報、すな
わちRAW画像データの解像度情報とカラー配列情報が付加されたRAW画像ファイルを作成することができる。
【００５５】
≪RAW画像ファイル表示処理の動作≫
次に、撮影装置100で作成したRAW画像ファイルを、画像処理装置300で読み込み、表示
装置200に表示する処理を、図12と図13のフローを用いて説明する。表示装置200の設置方向として、図14(a)のように横置き（回転角度＝0°）の場合と、図14(b)のように縦置き
（回転角度＝90°）の場合を例に挙げ、説明する。画像処理装置300は、RAW画像データのカラー配列情報と表示装置200のパネルのカラー配列情報と、表示装置200の回転角度情報を利用し、表示装置200の設置状態に応じた最適な画像を作成する。
【００５６】
図12のフローは、画像処理装置300の画像処理装置制御部303が、操作入力部301から入
力されたユーザの操作内容を解釈した結果、画像表示指示であると判断した時点から開始するものである。
【００５７】
ステップS201において、画像処理装置300の画像処理装置制御部303は、表示するRAW画
像のファイルパスと表示レイアウト情報を特定する。ここで、画像表示時のレイアウト情報はデフォルト設定として、あらかじめ画像処理装置制御部303が保持することを想定し
ている。
【００５８】
ステップS202で、画像処理装置300の画像処理装置制御部303は、外部I/F部302を使用して、取得したファイルパスの位置に存在するRAW画像ファイルを読み込む。
【００５９】
ステップS203で、画像処理装置300の画像処理装置制御部303は、出力制御部307に対し
て、読み込んだRAW画像ファイルとレイアウト情報を渡し、レイアウト情報通りに画像を
表示するよう指示する。出力制御部307は、画像処理装置制御部303からの画像表示指示を受け、画像展開部308に受け取ったRAW画像ファイルを送り、展開するよう指示する。画像展開部308は、出力制御部307からの画像展開指示を受け、上記画像ファイルを展開し、メモリ309に格納する。
【００６０】
ステップS204で、画像処理装置300の出力制御部307は、画像情報パース部305にRAW画像ファイルを渡し、RAW画像ファイルからRAW画像データの解像度情報（縦ピクセル数と横ピクセル数）およびRAW画像データのカラー配列情報を取得する。
【００６１】
ステップS205で、画像処理装置300の出力制御部307はPCのOSから、OSが表示装置200のEDIDから取得した表示装置200のパネルの解像度情報（縦ピクセル数と横ピクセル数）を取得する。
【００６２】
ステップS206で、画像処理装置300の出力制御部307は、表示装置200のパネルのカラー
配列情報を取得するため、通信部304を使用してカラー配列情報問い合わせ指示を、表示
装置200へ送信する。
【００６３】
ステップS207で、表示装置200の通信部208は、受け取ったカラー配列情報問い合わせ指示を、表示装置情報管理部209に送信する。
【００６４】
ステップS208で、表示装置200の表示装置情報管理部209は、表示装置カラー配列情報保持部206から、表示装置200のカラー配列情報を取得する。
【００６５】
ステップS209で、表示装置200の表示装置情報管理部209は、通信部208を使用して、画
像処理装置300に対し、カラー配列情報問い合わせ指示の返答として、ステップS208で取
得したカラー配列情報を送信する。
【００６６】
ステップS210で、画像処理装置300の通信部304は、受け取ったカラー配列情報を、出力制御部307に送信する。
【００６７】
ステップS211で、画像処理装置300の出力制御部307は、表示装置200の現在の設置状況
、すなわち回転角度情報を取得するため、通信部304を使用して回転角度問い合わせ指示
を、表示装置200へ送信する。
【００６８】
ステップS212で、表示装置200の通信部208は、受け取った回転角度問い合わせ指示を、表示装置情報管理部209に送信する。
【００６９】
ステップS213で、表示装置200の表示装置情報管理部209は、回転検出部207から、現在
の表示装置200の回転角度情報を取得する。表示装置200の設置方向が横置きの場合には、回転角度情報は0°となり、右に90°回転した縦置きの場合には、回転情報は90°となる
。
【００７０】
ステップS214で、表示装置200の表示装置情報管理部209は、通信部208を使用して、画
像処理装置300に対し、回転角度問い合わせ指示の返答として、ステップS213で取得した
回転角度情報を送信する。
【００７１】
ステップS215で、画像処理装置300の通信部304は、受け取った回転角度情報を、出力制御部307に送信する。
【００７２】
ステップS216で、画像処理装置300の出力制御部307は、6つの情報を、表示画像作成部310に送信し、表示画像を作成するよう指示する。６つの情報とは、まず、ステップS203で受けとったレイアウト情報、ステップS204で取得したRAW画像データの解像度情報とカラ
ー配列情報、ステップS205で取得した表示装置200の解像度情報である。さらに、ステッ
プS210で取得した表示装置200のカラー配列情報、およびステップS215で取得した表示装
置200の回転角度情報である。表示画像作成部310における表示画像作成処理の詳細は、後述のフロー（図13）で説明する。表示画像作成部310は、作成された表示画像をバッファ311に書き込み、その後、出力制御部307に対し、表示画像の作成が完了した旨を通知する
。
【００７３】
ステップS217で、画像処理装置300の出力制御部307は、表示画像作成完了通知を受けたのち、映像出力部315に対して映像を出力するよう指示する。映像出力部315は、バッファ311に格納した表示画像データを、映像ストリームとして表示装置200へ送信することで、表示装置200のパネル（不図示）上に画像を表示させる。
【００７４】
ステップS218で、画像処理装置300の出力制御部307は、表示画像に使用した合計6つの
情報を、表示情報格納部306に格納する。この６つの情報は、レイアウト情報、RAW画像データの解像度情報、RAW画像データのカラー配列情報、表示装置200の解像度情報、表示装置200のカラー配列情報、および表示装置200の回転角度情報である。これらの処理が終了したのち、出力制御部307は、画像処理装置制御部303に対し画像の表示が完了したことを通知し、当処理を終了する。
【００７５】
加えて、表示画像作成処理について、図13を使用して説明を行う。図13は、画像処理装置300の表示画像作成部310が、出力制御部307から6つの情報と共に、表示画像作成指示を受信した時点から開始するものとする。６つの情報は、レイアウト情報、RAW画像データ
の解像度情報とカラー配列情報、表示装置200の解像度情報、カラー配列情報、回転角度
情報である。
【００７６】
ステップS301で、表示画像作成部310は、RAW画像データの解像度情報（縦ピクセル数と横ピクセル数）とRAW画像データのカラー配列情報から、RAW画像データ全体のカラー配置（以下、カラー行列と称する）（図15）を算出する。
【００７７】
ステップS302で、表示画像作成部310は、表示装置200の解像度情報（縦ピクセル数と横ピクセル数）と表示装置200のカラー配列情報から、表示装置200の画面全体のカラー配置（カラー行列）（図16）を算出する。
【００７８】
ステップS303で、表示画像作成部310は、画像上の表示領域決定部312に対し、レイアウト情報とRAW画像の解像度情報と共に、RAW画像データ上の表示領域の決定指示を送信する。画像上の表示領域決定部312は、表示領域決定指示を受け、解像度情報とレイアウト情
報から、表示領域情報（図9）を算出する。画像上の表示領域決定部312は、求めたRAW画
像上の表示領域情報を、表示画像作成部310に返答する。
【００７９】
ステップS304で、表示画像作成部310は、表示装置上の表示領域決定部313に対し、レイアウト情報、表示装置200の解像度情報、および表示装置200の回転角度情報と共に、表示装置200の画面上での表示領域（出力領域）の決定指示を送信する。表示装置上の表示領
域決定部313は、表示領域決定指示を受け、解像度情報とレイアウト情報から、表示領域
情報（図10）を算出する。表示装置200が横置きの場合、すなわち回転角度情報＝0°の場合には、表示装置上の表示領域は図10(a)となり、表示装置200が縦置きの場合、すなわち回転角度情報＝90°の場合には、表示装置上の表示領域は図10(b)となる。表示装置上の
表示領域決定部313は、求めた表示装置の画面上の表示領域情報を、表示画像作成部310に返答する。
【００８０】
ステップS305からステップS308で、表示画像作成部310は、表示装置上の表示領域に含
まれる全サブピクセルの発光値、すなわち色値（画素値）を算出する。
【００８１】
ステップS305で、表示画像作成部310は、ステップS304で求めた表示装置上の表示領域
情報を用いて、色値を算出する1つサブピクセルを表示装置上の表示領域内から1つ選択し、そのサブピクセルの位置情報を算出する。例えば、表示装置上の表示領域の左上から右下の順に、各サブピクセルの色値を算出する場合、図10で最初に色値を求めるために選択されるサブピクセルは、横置き時，縦置き時ともにサブピクセルXとなる。ここで、左上
、右下とは、表示装置200の設置方向が正位置（＝横置き時）である場合を基準とした場
合の方向である。サブピクセルの位置情報は、図6の表示装置のカラー配列情報における
位置情報と同様である。すなわち、サブピクセルの重心の位置とし、サブピクセルXの位
置情報は、横置き時には（x1_sub, y1_sub）であり、縦置き時には（x2_sub, y2_sub）であるとする。
【００８２】
ステップS306で、表示画像作成部310は、補間使用画素決定部314に、8つの情報を渡し
、そのサブピクセルの色値算出に使用するRAW画像上の画素（以下、補間使用画素と称す
る）を決定するよう指示する。８つの情報とは、まず、RAW画像の解像度情報、表示装置200の解像度情報、表示装置200の回転角度情報である。それに加え、ステップS301からス
テップS305でそれぞれ求めたRAW画像データのカラー配置情報、表示装置のカラー配置情
報、RAW画像上の表示領域情報、表示装置上の表示領域情報と、色値を求めるサブピクセ
ルの位置情報である。補間使用画素決定部314は、図17のように、RAW画像上の表示領域と表示装置上の表示領域が一致するようスケーリングして重ね合わせる。そして、求める表示装置200上のサブピクセルの位置およびその周辺（近傍）に位置するRAW画像上の画素から、サブピクセルの色値算出に使用する画素を、任意の規則に従って決定する。ここで、画素選択の規則の一例として、サブピクセルの位置から距離が近い4画素を選択するもの
とする。この規則を用いて、補間画素を算出した場合の例を図23と図18で示す。図23(a)
と図18は、どちらも表示装置200が横置き、すなわち回転角度情報＝0°の場合の、Rサブ
ピクセルの色値を算出するための、RAW画像データ上の画素を示した図である。図23(a)は、表示装置の画面1画素とRAW画像データの1画素が同じ大きさである場合の図である。図18(a)は、表示装置の画面1画素がRAW画像データの1画素よりも大きい場合、図18(b)は、表示装置の画面1画素がRAW画像データの1画素よりも小さい場合の図である。これら3つ全ての場合において、画素A〜画素Dの4つの画素が補間使用画素として決定される。また、表
示装置200が横置きの場合と同様に、縦置き、すなわち回転角度情報＝90°の場合、図23(b)のように画素A〜画素Dの4つの画素が補間使用画素として決定される。
【００８３】
次に、表示画像作成部310は、求めた補間使用画素に対して、RAW画像上の位置情報（縦ピクセル位置，横ピクセル位置）と、サブピクセルからの距離情報（縦の距離，横の距離）を算出し、これらを補間使用画素データとして1つにまとめる。図19(a)、図19(b)は、
それぞれ図23(a)、図23(b)の場合の補間使用画素データである。補間使用画素の個数と、各補間使用画素の情報から構成されている。補間使用画素のRAW画像データ上の位置情報
と、サブピクセルの位置を基準点とした各補間使用画素との位置関係が、RAW画像データ
上で縦方向（x軸方向）と横方向（y軸方向）にどれだけずれているかを記している。補間使用画素決定部314は、表示画像作成部310に対して、算出した補間使用画素データを返答する。
【００８４】
ステップS307で、表示画像作成部310は、補間使用画素決定部314から受け取った補間使用画素データ（図19）の位置情報を使用して、それらの画素に対応する色値をメモリ309
から読み出す。その後、表示画像作成部310は、取得した各補間使用画素の色値、および
補間使用画素データの距離情報を使用し、サブピクセルの色値を任意の補間アルゴリズムにて算出する。本実施例では、補間アルゴリズムとして、既存のバイリニア補間法やバイキュービック補間法等を使用する。
【００８５】
ステップS308において、表示画像作成部310は、表示装置上の表示領域内に属する全サ
ブピクセルにおいて、色値の算出が終わったかどうかを判断する。全サブピクセルに対して色値の算出が完了した場合、ステップS310に処理を進める。一方、色値を求めていないサブピクセルが存在する場合、ステップS309に処理を進め、色値を求めていないサブピクセルに対して、色値の算出を行う。
【００８６】
ステップS309で、表示画像作成部310は、次に色値を算出するサブピクセルを表示装置
上の表示領域内から1つ選択し、そのサブピクセルの位置情報を算出する。ステップS305
と同様、表示装置上の表示領域の左上から右下の順に、各サブピクセルの色値を算出する場合、図10においてサブピクセルXの次に選択されるサブピクセルは、サブピクセルYとなる。
【００８７】
ステップS310で、表示画像作成部310は、今までに算出した、表示装置上の表示領域内
の全サブピクセルに対する色値を用いて、表示画像データを生成する。ここで表示画像データとは、表示装置200に映像ストリームとして入力する画像データであり、1画素にR，G，Bの3色成分値を持つ、一般的な画像形式である。表示画像作成部310は、R，G，Bの3つ
のサブピクセルの値を1画素のデータとしてまとめ、表示装置上の表示領域における表示
画像データを作成する。その後、表示画像作成部310は、表示装置上の表示領域以外（出
力領域以外）の領域に、任意の背景の色値（所定値、例えば、黒：（R, G, B）＝（0, 0,
0））を付加し、表示画像データを作成する。最後に、表示画像作成部310は、作成した
表示画像データを、バッファ311に書込み、当処理を終了する。
【００８８】
以上の処理により、RAW画像のカラー配列情報と、表示装置のパネルのカラー配列情報
、および表示装置の回転角度を使用し、表示装置の個々のサブピクセルに対応する色値を算出して表示画像データを作成する。そのため、現在の表示装置の設置状態を考慮した、最適な画質でRAW画像を表示することが可能となる。
【００８９】
以上、本実施例における画像表示システムでは、RAW画像を作成する際（撮影時）に、RAW画像データのカラー配列情報を添付する。表示する際に、上記添付されたRAW画像デー
タのカラー配列情報と表示装置のカラー配列情報、および回転角度情報を使用して、その表示装置の各発光素子（サブピクセル）の単位で色値を算出する。そのため、設置状態を考慮した表示装置に最適な画像を表示することが可能となる。
【００９０】
なお、上述の実施例1では、表示装置の設置角度として、横置きと縦置きの場合を想定
して説明した。しかし、図20(a)のように表示装置を斜めに設置した場合でも、図20(b)のように表示装置のサブピクセルとRAW画像上の補間使用画素間の距離を算出可能であるた
め適用可能であり、縦置き、および横置きに限定されるものではない。
【００９１】
また、上述の実施例1では、RAW画像データのカラー配列としてベイヤ型のデータを、表示装置のカラー配列として1画素にR，G，Bの複数のサブピクセルが横に並んだものを想定して説明した。しかし本発明は、他のカラー配列を利用したRAW画像データ、および表示
装置でも適用可能であり、上述のカラー配列を利用したRAW画像データ、および表示装置
に限定されるものではない。
【００９２】
更に、上述の実施例1では、画像ファイルとしてRAW画像ファイルを想定して説明した。しかし、RAW画像ファイルに限らず、画像のカラー配列情報が添付された画像ファイル形
式や、ビットマップ形式やJPEG形式等のカラー配列が公知である画像形式でも適用可能であり、RAW画像ファイルに限定するものではない。ここで、JPEGはJoint Photographic Experts Groupである。
【００９３】
加えて、上述の実施例1では、図1のように表示装置200と画像処理装置300とが接続された画像表示システムを提示した。しかし本発明は、表示装置と画像処理装置が一体に構成され、記憶メディア3と接続し、記憶メディア3内のRAW画像を表示可能であるテレビやモ
ニタ等の画像表示装置にも適用可能である。
【００９４】
（実施例２）
続いて、本発明を適用した画像表示装置の第2の実施例について説明を行う。画像を閲
覧中、表示装置の画面を横置きから縦置きに、または縦置きから横置きに回転させることがある。表示装置を回転すると、図23の様に、表示装置のサブピクセルの配列もその回転に従って変化するため、回転前の設置状態での表示時に作成した表示画像データでは、回転後の表示装置200のパネルのカラー配列に適したものではなくなってしまう。したがっ
て、本実施例では、画像表示後に表示装置を回転して表示パネルの角度が変化した場合に、変化後の表示装置のパネルのカラー配列に適した表示画像データを再作成して表示する、画像表示装置について説明する。
【００９５】
本実施例では、実施例1との差分のみ説明する。同一処理の部分に関しては、実施例1と同じ図表番号を用いる。
まず、システム構成は、実施例1と同一のシステム、機能ブロックを使用するため、説
明を割愛する。
【００９６】
続いて、図21のフローを用いて、本実施例の画像表示システムにおける、表示装置200
の回転検知に起因した表示画像データの再作成と、表示装置200への再表示動作について
説明する。
【００９７】
図21のフローは、表示装置200の回転検出部207が、内部の回転センサ（不図示）で表示装置200の表示画面が回転されたことを検出した時点から、処理を開始するものである。
【００９８】
ステップS401で、表示装置200の回転検出部207は、回転された後の表示装置の回転角度情報を内部のセンサから取得し、表示装置情報管理部209に対し、取得した回転角度情報
と共に回転した旨を通知する。表示装置200の表示装置情報管理部209は、回転検出部207
から回転角度情報と共に回転通知を受信し、表示装置200の通信部208を用いて、画像処理装置300へ回転角度情報とともに回転通知を送信する。
【００９９】
ステップS402で、画像処理装置300の通信部304は、回転角度情報と共に回転通知を受信し、出力制御部307へ回転角度情報と回転通知を送信する。
【０１００】
ステップS403で、画像処理装置300の出力制御部307は、画像処理装置300の通信部304から回転角度情報とともに回転通知を受信する。すると、表示情報格納部306から回転前の
設置状態での表示時に格納した現表示状態を示す情報である6つの情報のうち、回転角度
情報以外の5つの情報を読み出す。5つの情報とは、レイアウト情報、RAW画像データの解
像度情報、RAW画像データのカラー配列情報、表示装置200の解像度情報、および表示装置200のカラー配列情報である。
【０１０１】
ステップS404で、画像処理装置300の出力制御部307は、6つの情報を、表示画像作成部310に送信し、表示画像を作成するよう指示する。６つの情報は、ステップS403で読み出したレイアウト情報、RAW画像データの解像度情報とカラー配列情報、表示装置200の解像度情報とカラー配列情報、およびステップS403で受信した表示装置200の回転角度情報であ
る。表示画像作成部310における表示画像作成処理は、実施例1の図13のフローと同様であるため、説明を割愛する。表示画像作成部310によって作成した表示画像はバッファ311に書き込まれ、表示画像作成部310はバッファ311への書込み終了後、出力制御部307に対し
、表示画像の作成が完了した旨を通知する。
【０１０２】
ステップS405で、画像処理装置300の出力制御部307は、表示画像作成完了通知を受けたのち、映像出力部315に対して映像を出力するよう指示する。映像出力部315は、バッファ311に格納した表示画像データを、映像ストリームとして表示装置200へ送信することで、表示装置200のパネル（不図示）上に画像を表示させる。すなわち、表示処理（図12）の
ステップS217と同様の処理となる。
【０１０３】
ステップS406で、画像処理装置300の出力制御部307は、表示画像に使用した情報のうちの差分情報である、表示装置200の回転角度情報を、表示情報格納部306に格納したのちに当処理を終了する。
【０１０４】
以上、本実施例の画像表示システムでは、ユーザが表示装置の画面を回転した場合にもそれを検知し、回転後の表示装置のカラー配列に応じて、表示画像データを再作成し表示する。これにより、回転後でも表示装置のパネルのカラー配列に応じた、最適な画質でRAW画像データを表示することが可能となる。
【符号の説明】
【０１０５】
303    画像処理装置制御部
304    通信部
305    画像情報パース部
307    出力制御部
310    表示画像作成部
312    画像上の表示領域決定部
313    表示装置上の表示領域決定部
314    補間使用画素決定部
【図１】
2014049855.tif 000003
【図２】
2014049855.tif 000004
【図３】
2014049855.tif 000005
【図４】
2014049855.tif 000006
【図５】
2014049855.tif 000007
【図６】
2014049855.tif 000008
【図７】
2014049855.tif 000009
【図８】
2014049855.tif 000010
【図９】
2014049855.tif 000011
【図１０】
2014049855.tif 000012
【図１１】
2014049855.tif 000013
【図１２】
2014049855.tif 000014
【図１３】
2014049855.tif 000015
【図１４】
2014049855.tif 000016
【図１５】
2014049855.tif 000017
【図１６】
2014049855.tif 000018
【図１７】
2014049855.tif 000019
【図１８】
2014049855.tif 000020
【図１９】
2014049855.tif 000021
【図２０】
2014049855.tif 000022
【図２１】
2014049855.tif 000023
【図２２】
2014049855.tif 000024
【図２３】
2014049855.tif 000025